(57)【要約】【課題】現場での庇の組付作業に先立ち、しかも、板金加工によらずに、屋根板に妻板および軒先板を容易かつ精度よく連設できる庇を提供する。【解決手段】ブラケットに組み付けられる庇本体２は、屋根板３の前端縁に軒先板６が連設され、屋根板３の両側端縁に前部から後部にかけて次第に幅が広がる左右の妻板５，５がそれぞれ上部保持枠５０を介して連設され、軒先板６と左右の妻板５，５とで囲まれる下端の開口部分に軒天板が連設されている。上部保持枠５０は、外側の面に妻板５の上端縁を全長にわたって挟持する妻板挟持部、内側の面に屋根板３の側端縁を全長にわたって挟持する屋根板挟持部がそれぞれ一体形成されるとともに、軒先板６の上端部の内側の面に屋根板３の前端縁を全幅にわたって挟持する屋根板挟持部が一体形成されている。【選択図】図１
2010270455.tif 000002
【特許請求の範囲】
【請求項１】
建物の外壁面に横並びに取り付けられた複数個のブラケットに屋根板が前下がりに傾斜するように庇本体が組み付けられて成る庇において、
前記庇本体は、屋根板の前端縁に全長にわたって均一幅の軒先板が連設され、屋根板の両側端縁に前部から後部にかけて次第に幅が広がる左右の妻板がそれぞれ保持枠を介して連設され、軒先板と左右の妻板とで囲まれる下端の開口部分に軒天板が連設されて成り、
前記保持枠は、外側の面に妻板の上端縁の一定幅を全長にわたって支持溝内に挟持する妻板挟持部、内側の面に屋根板の側端縁の一定幅を全長にわたって支持溝内に挟持する屋根板挟持部がそれぞれ一体に形成されるとともに、前記の軒先板の上端部の内側の面に屋根板の前端縁の一定長さを全幅にわたって支持溝内に挟持する屋根板挟持部が一体に形成されて成る庇。
【請求項２】
前記保持枠の妻板挟持部は、妻板の上端部の内面を全長にわたって支持する支持板部と、支持板部との間で妻板の上端縁を挟持する縁板部とで構成され、支持板部と縁板部との間に妻板の上端縁が挿入されて支持される支持溝が形成されている請求項１に記載された庇。
【請求項３】
前記保持枠の屋根板挟持部は、屋根板の側端部の内面を全長にわたって支持する支持板部と、支持板部との間に屋根板の側端縁を挟持する縁板部とで構成され、支持板部と縁板部との間に屋根板の側端縁が挿入されて支持される支持溝が形成されている請求項１に記載された庇。
【請求項４】
前記軒先板の屋根板挟持部は、屋根板の前端部の内面を全長にわたって支持する支持板部と、支持板部との間に屋根板の前端縁を挟持する縁板部とで構成され、支持板部と縁板部との間に屋根板の側端縁が挿入されて支持される支持溝が形成されている請求項１に記載された庇。
【発明の詳細な説明】
【技術分野】
【０００１】
この発明は、建物の外壁面に前方へ張り出すように設置される庇に関し、特に、この発明は、建物の外壁面に横並びに取り付けられた複数個のブラケットに屋根板が前下がりに傾斜するように庇本体が組み付けられる庇に関する。
【背景技術】
【０００２】
従来のその種の庇として、屋根板、軒天板、左右の妻板、および軒先板により内部が中空に形成されたアルミニウム製の庇本体が用いられている。屋根板と軒天板は、建物の外壁面に横並びに取り付けられた複数個のブラケットを挟むように上下に対向させて配備される（例えば特許文献１参照）。幅が狭い庇や張出量の小さな庇では、屋根板や軒天板は１枚の板材を用いて形成される。幅や張出量が大きくなると、板材の幅中央部や長さ中央部が自重により撓むおそれがあるため、図１４および図１５に示すように、複数枚のパネル１１０，１２０をそれぞれ連ねて屋根板１０３や軒天板１０４を形成することが行われている。
【先行技術文献】
【特許文献】
【０００３】
【特許文献１】特開平１１−２２９５４６号公報
【０００４】
妻板１０５は屋根板１０３と軒天板１０４との間の左右の両側面に、また、軒先板１０６は屋根板１０３と軒天板１０４との間の前面に、それぞれ配置されるが、図示の庇は、現場の高所での妻板１０５および軒先板１０６の組立作業をなくすため、妻板１０５，１０５を構成する部分が両端のパネル１１０ａ，１１０ｂに、軒先板１０６を構成する部分が全てのパネル１２０に、それぞれ板金加工によりあらかじめ一体形成されている。両端のパネル１１０ａ，１１０ｂでは、妻板１０５を構成する部分と軒先板１０６を構成する部分とは溶接により一体接合されている。
【０００５】
上記した構成の庇を組み立てるには、まず、庇の張出量に応じた長さの複数個のブラケット１１を建物の外壁面の同じ高さの位置に一定の間隔で横並びに取り付ける。つぎに、一端部位置のブラケット１１ａの上端面に、まず、一方の妻板１０５を構成する部分を有するパネル１１０ａをビス１３０により固定し、つぎに、屋根板１０３の中央部分を構成する複数枚のパネル１１０を順次連ねてそれぞれをビス１３０により各ブラケット１１に固定した後、他方の妻板１０５を構成する部分を有するパネル１１０ｂをビス１３０により他端部位置のブラケット１１ｂに固定する。上記したブラケット１１に対する各パネル１１０の組付けによって、屋根板１０３、妻板１０５、および軒先板１０６の組立が完了し、つぎに、各ブラケット１１の下端の側に、軒天板１０４を構成する複数枚のパネル１２０を順次連ねてそれぞれをビス１３０によりブラケット１１に固定し、庇の組立が完了する。
【発明の概要】
【発明が解決しようとする課題】
【０００６】
上記した構成の庇では、屋根板１０３を構成するパネル１１０に妻板１０５や軒先板１０６を構成する部分が一体形成されているので、現場の高所において、屋根板１０３に対する妻板１０５や軒先板１０６の連設作業が不要となるが、妻板１０５，１０５を構成する部分や軒先板１０６を構成する部分は板金加工によって形成されるため、金属板材を曲げたり、妻板１０５と軒先板１０６との突き合わせ部分を溶接したり、曲げ部分を含む全体を塗装したりするなどの工程が必要となり、庇本体の製作に余分の手数がかかり、コスト高となる。また、前記の塗装は、曲げ部分において表面のアルミニウム皮膜が破壊されて腐蝕の原因となるので、これを防止するために行われるものであるが、この塗装によりアルミニウム皮膜がもつ光沢が失われて見栄えが低下する。そのうえ、屋根板１０３に対する妻板１０５や軒先板１０６の曲げ加工部分は曲面状となるため、全体が光沢のある角張った優れたデザインの庇を製作することは困難である。
【０００７】
この発明は、上記の問題に着目してなされたもので、現場での庇の組付作業に先立ち、しかも、板金加工によらずに、屋根板に妻板および軒先板を容易かつ精度よく連設できる庇を提供することを目的とする。
【課題を解決するための手段】
【０００８】
この発明による庇は、建物の外壁面に横並びに取り付けられた複数個のブラケットに屋根板が前下がりに傾斜するように庇本体が組み付けられて成るものである。前記庇本体は、屋根板の前端縁に全長にわたって均一幅の軒先板が連設され、屋根板の両側端縁に前部から後部にかけて次第に幅が広がる左右の妻板がそれぞれ保持枠を介して連設され、軒先板と左右の妻板とで囲まれる下端の開口部分に軒天板が連設されている。前記保持枠は、外側の面に妻板の上端縁の一定幅を全長にわたって支持溝内に挟持する妻板挟持部、内側の面に屋根板の側端縁の一定幅を全長にわたって支持溝内に挟持する屋根板挟持部がそれぞれ一体に形成されるとともに、前記の軒先板の上端部の内側の面に屋根板の前端縁の一定長さを全幅にわたって支持溝内に挟持する屋根板挟持部が一体に形成されている。
【０００９】
上記した構成の庇において、庇本体は、屋根板の前端縁に全長が均一幅の軒先板が連設され、屋根板の両側端縁に前部から後部にかけて次第に幅が広がる左右の妻板がそれぞれ保持枠を介して連設されるので、屋根が前下がりに傾斜する庇本体が得られる。また、左右の保持枠の妻板挟持部の支持溝内に妻板の上端縁を挿入して挟持させ、屋根板挟持部の支持溝内に屋根板の側端縁を挿入して挟持させることで、屋根板に左右の妻板が連設され、さらに、軒先板の屋根板挟持部の支持溝内に屋根板の前端縁を挿入して挟持させることで、屋根板に軒先板が連設されるので、現場での庇の組付作業に先立ち、板金加工によらずに、屋根板に妻板および軒先板を容易かつ精度よく連設することができる。
【００１０】
この発明の好ましい実施態様において、前記保持枠の妻板挟持部は、妻板の上端部の内面を全長にわたって支持する支持板部と、支持板部との間で妻板の上端縁を挟持する縁板部とで構成され、支持板部と縁板部との間に妻板の上端縁が挿入されて支持される支持溝が形成されている。
同様に、前記保持枠の屋根板挟持部は、屋根板の側端部の内面を全長にわたって支持する支持板部と、支持板部との間に屋根板の側端縁を挟持する縁板部とで構成され、支持板部と縁板部との間に屋根板の側端縁が挿入されて支持される支持溝が形成されている。
同様に、前記軒先板の屋根板挟持部は、屋根板の前端部の内面を全長にわたって支持する支持板部と、支持板部との間に屋根板の前端縁を挟持する縁板部とで構成され、支持板部と縁板部との間に屋根板の側端縁が挿入されて支持される支持溝が形成されている。
なお、庇本体を構成する各部材は好ましくはアルミニウムにより形成され、また、保持枠や軒先板は押出加工により得られるもので、庇本体の構成部材を容易かつ安価に製作できるが、庇本体を構成する各部材を合成樹脂により形成することも可能である。
【発明の効果】
【００１１】
この発明によると、現場での庇の組付作業に先立ち、しかも、板金加工によらずに、屋根板に妻板および軒先板を連設することができる。また、左右の保持枠の妻板挟持部の支持溝内に妻板の上端縁を、屋根板挟持部の支持溝内に屋根板の側端縁を、軒先板の屋根板挟持部の支持溝内に屋根板の前端縁を、それぞれ挿入することで、屋根板に左右の妻板および軒先板が連設されるので、屋根板に妻板および軒先板を容易かつ精度よく連設できる。さらに、庇本体の製作に曲げ、溶接、塗装などの工程を必要とせず、余分の手数がかからないから、コスト高を招くおそれがない。しかも、屋根板に対する妻板や軒先板の連設部分は自由な形態に設計することが可能であり、全体が角張った優れたデザインの庇を容易に製作できる。
【図面の簡単な説明】
【００１２】
【図１】この発明の一実施例である庇の外観を斜め上方より見た斜視図である。
【図２】図１の庇を斜め下方より見た斜視図である。
【図３】図１のＡ−Ａ線に沿う断面図である。
【図４】庇の一側端部における図３のＢ−Ｂ線に沿う断面図である。
【図５】図４のＣ−Ｃ線に沿う断面図である。
【図６】上部保持枠を外側より見た側面図である。
【図７】上部保持枠を内側より見た側面図である。
【図８】図３のＤ−Ｄ線に沿う断面図である。
【図９】連結金具の構成を示す斜視図である。
【図１０】ブラケットの取付工程を示す斜視図である。
【図１１】ブラケットに対し軒天板を位置決めする工程を示す斜視図である。
【図１２】軒天板をブラケットに固定した状態を示す斜視図である。
【図１３】屋根板をブラケットに組み付ける状態を示す斜視図である。
【図１４】従来の庇の屋根板を組み付ける工程を示す斜視図である。
【図１５】従来の庇の軒天板を組み付ける工程を示す斜視図である。
【発明を実施するための形態】
【００１３】
図１および図２は、この発明の一実施例である庇１の外観を示している。
図示の庇１は、建物の外壁面から前方へ張り出すように設置され、横並びの複数個のブラケット１１（図３に示す）に庇本体２が組み付けられている。庇本体２はアルミニウム製であり、屋根板３、軒天板４、左右の妻板５，５、および軒先板６により外壁面が構成され、庇本体２の内部は中空である。屋根板３および軒天板４は、庇１の前後方向の長さＬと幅Ｗとに応じた長さと幅とを有する一枚のアルミニウム製の板材３０，４０を用いてそれぞれ形成され、各ブラケットを挟んで上下に配置されている。屋根板３の前端縁に全長にわたって均一幅の軒先板６が連設され、屋根板３の両側端縁に前部から後部にかけて次第に幅が広がる左右の妻板５，５がそれぞれ上部保持枠５０，５０を介して連設されている。軒天板４は、軒先板６と左右の妻板５，５とで囲まれる下端の開口部分に連設されている。
【００１４】
図３〜図５は、上記した庇本体２の取付状態と内部構造とを示している。
図３において、１１は庇１の張出量に応じた長さの金属製のブラケットであり、建物の外壁面１０の同じ高さ位置に一定の間隔で横並びに取り付けられている。各ブラケット１１は、一側方が開放された形状のものであり、基端部１２、側板部１３、上板部１４、および下板部１５を有している。基端部１２は建物の外壁面１０に当接されるもので、アンカーなどのボルト１６を通すボルト通し孔１７，１７が上下に開設されている。ブラケット１１の基端部１２をボルト１６およびナット１８により外壁面に取り付けた状態では、水平な下板部１５に対して上板部１４は後端から前端に向けて低く傾斜している。
【００１５】
庇本体２を構成する軒天板４は、板材４０の上面の長さ方向の中間位置には１本の補強枠材４１が接着剤により固着されている。板材４０の前後の各端部には補強枠材４１の厚みｄに相当する高さの立ち上がり部４０ａとブラケット１１の下板部１５に当接してビス６９、４５により固定される接合部４０ｂ，４０ｃとが屈曲形成されている。補強枠材４１はアルミニウム製であり、板材４０の全幅にわたる長さに形成されている。補強枠材４１は対向する側板部４２，４２を有し、側板部４２，４２間に上面が開放された長さ方向へ延びる摺動溝４３が形成されている。各側板部４２の上端縁は内向きに屈曲され、後述する連結金具７が抜け出ないようにするための抜止部４４が形成されている。
【００１６】
補強枠材４１の摺動溝４３には、図８および図９に示すように、ブラケット１１と同数の連結金具７が抜止め状態で移動自由に支持されている。各連結金具７は、補強枠材４１の各ブラケット１１と交叉する位置に位置決めされ、各連結金具７により補強枠材４１と各ブラケット１１とを連結することにより各連結金具７を介して軒天板４の長さ方向の中間位置が各ブラケット１１に支持されている。
【００１７】
図示例の連結金具７は、ボルト７０と連結固定板７３とナット７５とで構成され、両端に位置する連結金具７には吊り金具７６が設けられている。
ボルト７０は大径の頭部７１が補強枠材４１の摺動溝４３に抜止め状態で係合されており、ネジ軸部７２が摺動溝４３の上面開口より上方へ突出している。連結固定板７３は、ボルト７０のネジ軸部７２が貫通する孔７４を有する基板部７３ａと、ブラケット１１の下板部１５上に係合させる係合板部７３ｂとが、ブラケット１１の下板部１５の厚みに相当する高さの段部７３ｃを介して一体に屈曲形成されたものである。ナット７５は、ボルト７０のネジ軸部７２にねじ込まれ、ネジ軸部７２に支持された連結固定板７３の係合板部７３ｂをブラケット１１の下板部１５上に係合させた状態で連結固定板７３の基板部７３ａを補強枠材４１との間で締め付けるものである。連結固定板７３の係合板部７３ｂはブラケット１１の下板部１５にビス７７により止着される。
【００１８】
吊り金具７６は、ボルト７０のネジ軸部７２の上端部にねじ込まれる内ネジ部７６ａを有し、この内ネジ部７６ａにロープやワイヤーなどの吊り索２２を通すための環状部７６ｂが一体形成されたものである。吊り索２２は、庇本体２の軒天板４をブラケット１１の下端に組み付ける際、軒天板４の両端部を両端位置のブラケット１１ａ，１１ｂ（図１１参照）に巻き付けて宙づり状態とするのに用いられ、軒天板４をブラケット１１の下方にほぼ位置決めした状態で定位させる。
【００１９】
図３に戻って、庇本体２を構成する屋根板３は、板材３０の後端部に所定の高さの立ち上がり部３０ａとブラケット１１の上板部１４に当接させてビス３１により固定するための接合部３０ｂとが屈曲形成されている。立ち上がり部３０ａは屋根板３とブラケット１１との間に介在させる発泡材などより成る消音板２０の厚みに相当する高さに設定される。
【００２０】
屋根板３の先端部には軒先板６が、両側端部には左右の妻板５，５が、それぞれブラケット１１への組み付けに先立って連設される。軒先板６は、庇本体２の幅Ｗに応じた長さを有し、前板部６０の上端部に屋根板３の前端縁の一定長さを全幅にわたって支持溝６４内に挟持する屋根板挟持部６１が、下端部に軒天板４の前側の接合部４０ｂをブラケット１１の下板部１５との間で全幅にわたって挟持する軒天板挟持部６５が、それぞれ一体形成されている。
【００２１】
屋根板挟持部６１は、屋根板３の前端部の下面を全長にわたって支持する支持板部６２と、支持板部６２との間で屋根板３の前端縁を挟持する縁板部６３とを、屋根板３の前下がりの傾斜と一致させてそれぞれ斜め後方へ突設して成る。支持板部６２と縁板部６３との間には屋根板３の前端部が挿入されて支持される支持溝６４が形成されている。支持板部６２の先端部にはブラケット１１の上板部１４に当接させる脚板部６２ａが下向きに一体形成されている。脚板部６２ａの高さは屋根板３の後端部の立ち上がり部３０ａの高さと一致させているので、屋根板３はブラケット１１の傾斜する上板部１４と平行に支持される。
【００２２】
軒天板挟持部６５は、軒天板４の前側の接合部４０ｂの下面を全長にわたって支持する支持板部６６を前板部６０の下端から所定の高さ位置に後方へ突設して成る。支持板部６６の先端部には前板部６０の下端部分６０ａと対向する突板部６７が下向きに一体形成されている。軒天板４の前側の接合部４０ｂは支持板部６６とブラケット１１の下板部１５との間に挟着されるもので、複数箇所がビス６９により止着される。これらのビス６９が下方より見えないように、前板部６０の下端部分６０ａと突板部６７との間の開口部分にカバー９が被せられている。
【００２３】
カバー９は、アルミニウムなどの金属や合成樹脂により形成され、前記開口部分より十分に広い幅の覆い板９０と、互いに対向する脚板９１，９１とが一体形成されたものである。各脚板９１，９１の先端には外向きの係合突起９２，９２が、また、前板部６０の下端部分６０ａと突板部６７とが対向する面には内向きの係合突起６８が、それぞれ設けてあり、カバー９の脚板９１，９１を前板部６０の下端部分６０ａと突板部６７との間の開口部分へ挿入したとき、係合突起９２，６８が互いに係合してカバー９が抜止め状態となる。
【００２４】
屋根板３の両端縁に連設される左右の妻板５，５は、庇本体２の長さＬに応じた長さを有し、庇本体２の厚みＨ（ただし、厚みＨは前端側から後端側にかけて次第に厚くなる）に応じた幅、すなわち、前部から後部にかけて次第に広がる幅を有するもので、図４および図５に示すように、上端縁が全長にわたって上部保持枠５０により保持され、下端縁が全長にわたって下部保持枠８０により保持されている。
【００２５】
上部保持枠５０は、図５〜図７に示すように、外側の面に妻板５の上端縁の一定幅を全長にわたって支持溝５４内に挟持する妻板挟持部５１が、内側の面に屋根板３の側端縁の一定幅を全長にわたって支持溝５８内に挟持する屋根板挟持部５５が、それぞれ一体形成されたものである。
妻板挟持部５１は、妻板５の上端部の内面を全長にわたって支持する支持板部５２と、支持板部５２との間で妻板５の上端縁を挟持する縁板部５３とから成るもので、支持板部５２と縁板部５３との間には妻板５の上端縁が挿入されて支持される支持溝５４が形成されている。屋根板挟持部５５は、屋根板３の側端部の内面を全長にわたって支持する支持板部５６と、支持板部５６との間で屋根板３の側端縁を挟持する縁板部５７とを、それぞれ内方へ突設して成るもので、支持板部５６と縁板部５７との間には屋根板３の側端縁が挿入されて支持される支持溝５８が形成されている。妻板挟持部５１において妻板５の上端部と上部保持枠５０との間、屋根板挟持部５５において屋根板３の側端部と上部保持枠５０との間はそれぞれ接着剤により接合されている。
【００２６】
下部保持枠８０は、妻板５の下端縁の一定幅を全長にわたって支持溝８４内に挟持する妻板挟持部８１を備えている。妻板挟持部８１は、妻板５の下端部の内面を全長にわたって支持する支持板部８２と、支持板部８２との間で妻板５の下端縁を挟持する縁板部８３とから成るもので、支持板部８２と縁板部８３との間には妻板５の下端縁が挿入されて支持される支持溝８４が形成されている。妻板挟持部８１において、妻板５の下端部と下部保持枠８０との間は接着剤により接合されている。
前記の支持板部８２の内面には、下端から所定の高さ位置に水平板部８５が内方へ突設され、水平板部８５の先端部には支持板部８２と対向する突板部８６が下向きに一体形成されている。下方からの目隠しのために、支持板部８２と突板部８６との間の開口部分にカバー９５が被せられている。
【００２７】
カバー９５は、アルミニウムなどの金属や合成樹脂により形成され、前記開口部分より十分に広い幅の覆い板９６と、互いに対向する脚板９７，９７とが一体形成されたものである。各脚板９７，９７の先端には外向きの係合突起が９８，９８が、また、支持板部８２と突板部８６とが対向する面には内向きの係合突起８７，８７が、それぞれ設けてある。カバー９５の脚板９７，９７を支持板部８２と突板部８６との間の開口部分へ挿入したとき、係合突起９８，８７が互いに係合してカバー９５が抜止め状態となる。
【００２８】
上記した軒先板６の両側端部は、図４に示すように、斜め４５度に切断され、また、妻板５の上部保持枠５０および下部保持枠８０の前端部は軒先板６の切断端面に合わせて斜め４５度に切断されている。軒先板６の切断断面と上部保持枠５０および下部保持枠８０の切断断面とが突き合わされることで、軒先板６と左右の妻板５，５とが直角に連設される。
【００２９】
上記した構成の庇本体２を横並びの複数個のブラケット１１に組み付けて庇１を組み立てるには、まず、図１０および図１１に示すように、建物の外壁面の同じ高さ位置に複数個のブラケット１１をボルト１６およびナット１８によって一定間隔で横並びに取り付ける。
【００３０】
つぎに、一枚の板材４０の上面の長さ方向の中間位置に補強枠材４１が固着されかつ補強枠材４１の摺動溝４３に複数の連結金具７が抜止め状態で移動自由に支持された軒天板４を持ち上げ、ブラケット１１の下面の側に位置決めする。この場合、両端に位置する連結金具７に吊り金具７６を取り付けているので、各吊り金具７６の環状部７６ｂにロープやワイヤーなどの吊り索２２を通し、各吊り索２２を両端のブラケット１１ａ，１１ｂにそれぞれ巻き付けて宙づり状態に支持させるとともに、軒天板４をブラケット１１の下方にほぼ位置決めした状態で定位させる。
【００３１】
つぎに、図１２に示すように、各連結金具７を補強枠材４１の摺動溝４３を摺動させて補強枠材４１と各ブラケット１１とが交叉する位置まで移動させ、それぞれの位置において連結金具７の連結固定板７３の係合板部７３ｂをブラケット１１の下板部１５上に係合させた状態でナット７５を回して締め付ける。これにより各連結金具７の連結固定板７３はブラケット１１の下板部１５に係合した状態で固定され、さらに、連結固定板７３の係合板部７３ｂとブラケット１１の下板部１５とをビス７７により止着することにより、補強枠材４１とブラケット１１とが複数個の連結金具７により連結される。
【００３２】
このようにして、補強枠材４１を各ブラケット１１に連結金具７によりそれぞれ連結して支持させた状態で、軒天板４の板材４０の後側の接合部４０ｃを各ブラケット１１の下板部１５にビス４５により固定して、各ブラケット１１への軒天板４の組み付けを完了する。
【００３３】
つぎに、図１３に示すように、左右の妻板５，５および軒先板６が一体化された屋根板３をブラケット１１の上方まで持ち上げ、斜め前方より軒天板４上に被せるようにして組み付け、屋根板３の板材３０の後端部の接合部３０ｂをブラケット１１の上板部１４にビス３１により固定し、また、軒先板６の軒天板挟持部６５の支持板部６６と軒天板４の前側の接合部４０ｂとをブラケット１１の下板部１５にビス６９により固定して、各ブラケット１１への屋根板３、左右の妻板５、および軒先板６の組み付けを完了する。
【００３４】
その後、軒天板４の先端部と軒先板６との間にカバー９を装着し、さらに、左右の妻板５の下端部と軒天板４との間にカバー９５を装着した後、建物の外壁部と庇本体２の基端部との隙間にコーキング材２１を充填して庇１の組立を完了する。
【００３５】
上記した構成の庇１においては、左右の上部保持枠５０，５０の妻板挟持部５１の支持溝５４内に妻板５の上端縁を挿入して挟持させ、屋根板挟持部５５の支持溝５８内に屋根板３の側端縁を挿入して挟持させることで、屋根板３に左右の妻板５，５が連設され、さらに、軒先板６の屋根板挟持部６１の支持溝６４内に屋根板３の前端縁を挿入して挟持させることで、屋根板３に軒先板６が連設されるので、現場での庇の組付作業に先立ち、しかも、板金加工によらずに、屋根板３に妻板５，５および軒先板６を容易かつ精度よく連設することができる。
なお、この実施例では、軒天板４は一枚の板材４０により構成されているので、軒天板４に目地が発生せず、庇１を下方より見上げたとき（図２の状態）、目地の存在による見栄えの低下がない。
【００３６】
また、軒天板４は一枚の板材４０の上面の長さ方向の中間位置に全幅にわたる少なくとも１本の補強枠材４１を固着して構成されているので、軒天板４の幅中央部が自重によって撓むことがない。さらに、補強枠材４１の各ブラケット１１と交叉する位置に、補強枠材４１と各ブラケット１１とを連結する連結金具７をそれぞれ設けて、各連結金具７を介して軒天板４の長さ方向の中間位置を各ブラケット１１に支持させるので、軒天板４の長さ中央部が自重によって撓むこともない。
【符号の説明】
【００３７】
１    庇
２    庇本体
３    屋根板
４    軒天板
５    妻板
６    軒先板
１１  ブラケット
５０  上部保持枠
５１  妻板挟持部
５４  支持溝
５５  屋根板挟持部
５８  支持溝
６１  屋根板挟持部
６４  支持溝
【図１】
2010270455.tif 000003
【図２】
2010270455.tif 000004
【図３】
2010270455.tif 000005
【図４】
2010270455.tif 000006
【図５】
2010270455.tif 000007
【図６】
2010270455.tif 000008
【図７】
2010270455.tif 000009
【図８】
2010270455.tif 000010
【図９】
2010270455.tif 000011
【図１０】
2010270455.tif 000012
【図１１】
2010270455.tif 000013
【図１２】
2010270455.tif 000014
【図１３】
2010270455.tif 000015
【図１４】
2010270455.tif 000016
【図１５】
2010270455.tif 000017